(57)【特許請求の範囲】
【請求項１】
防火区画体に形成された貫通孔又は前記防火区画体に配設されたスリーブに装着されるとともに配線・配管材が挿通される防火処理具であって、
自身で形状を維持可能な熱膨張性材料から筒状に形成され前記貫通孔内又はスリーブ内に挿入される処理具本体を備え、
前記処理具本体が、該処理具本体の軸方向の一端側で開口し該開口から前記処理具本体内に熱膨張性充填材を充填可能とする充填空間を備えるとともに、前記軸方向の他端に前記充填空間内の前記熱膨張性充填材を受け止める受け部を備え、
該受け部が前記配線・配管材が貫通可能に形成されており、
前記充填空間の開口が前記貫通孔又はスリーブの開口端で開口するとともに前記受け部が前記貫通孔又はスリーブの開口端より奥方に位置するように前記貫通孔内又はスリーブ内に前記処理具本体が挿入される防火処理具。
【請求項２】
前記処理具本体は、ゴム弾性を有する熱膨張性ゴムで形成されている請求項１に記載の防火処理具。
【請求項３】
前記処理具本体は、前記軸方向の一端側から他端側に向かうに従い前記充填空間が先細をなすように形成されている請求項１又は請求項２に記載の防火処理具。
【請求項４】
前記処理具本体には、前記軸方向に沿って延びるスリットが形成されている請求項１〜請求項３のうちいずれか一項に記載の防火処理具。
【請求項５】
前記処理具本体の軸方向一端側の外面には、前記防火区画体における前記貫通孔の開口縁部又はスリーブにおける開口端に当接する当接部が形成されている請求項１〜請求項４のうちいずれか一項に記載の防火処理具。
【請求項６】
防火区画体に形成された貫通孔又は前記防火区画体に配設されたスリーブには、自身で形状を維持可能な熱膨張性材料から筒状に形成されるとともに、配線・配管材が挿通される処理具本体を備えた防火処理具が装着され、
前記処理具本体が前記貫通孔内又は前記スリーブ内に挿入され、前記処理具本体が軸方向一端側で開口することにより、前記貫通孔又はスリーブの開口端で開口する充填空間が設けられるとともに、前記処理具本体の軸方向他端側に設けられた受け部により、前記貫通孔又はスリーブの開口端より奥方で前記充填空間が閉鎖され、
さらに、前記受け部により前記充填空間に充填された熱膨張性充填材が受け止められるとともに前記配線・配管材が前記受け部を貫通してなる防火処理構造。
【請求項７】
前記防火区画体は中実状をなし、前記防火処理具が前記貫通孔の両開口側のうちいずれか一方側に装着される請求項６に記載の防火処理構造。
【発明の詳細な説明】
【技術分野】
【０００１】
本発明は、防火区画体に形成された貫通孔又は防火区画体に配設されたスリーブに装着される防火処理具及び該防火処理具を備えた防火処理構造に関する。
【背景技術】
【０００２】
従来より、建築物における防火区画体として、例えば防火区画壁に配線・配管材を貫通させる場合、この防火区画壁には防火処理構造が設けられる。この防火処理構造において、防火区画壁に設けられた貫通孔内には筒状の防火処理具が装着され、この防火処理具の内周面と、防火処理具内に挿通された配線・配管材との間に耐火材が配設されている。そして、防火区画壁の一方の壁面側で火災等が発生したとき、火災等の熱で膨張した耐火材により、防火処理具と配線・配管材との間の隙間が閉鎖されることにより貫通孔を閉鎖して他方の壁面側に火炎、煙、有毒ガスが流入するのを阻止する。
【０００３】
防火処理構造において、防火処理具の内周面と、防火処理具内に挿通された配線・配管材との間には耐火材が配設されるが、防火処理具内で耐火材を配線・配管材の周囲に位置させるために、防火処理具には耐火材を受け止める受け部が設けられている。このような受け部を備えた防火処理具としては、例えば、特許文献１に開示される壁貫通筒体が挙げられる。
【０００４】
図８（ａ）に示すように、壁貫通筒体９０は、不燃性材料により筒状に形成されるとともに、その両開口端部に区画壁形成体９１を備えている。この区画壁形成体９１は壁貫通筒体９０の開口端部に耐火材９３の充填空間を形成する。また、区画壁形成体９１は、合成樹脂で成形されるとともに、一対の分割体９４を組み合わせて形成される。
【０００５】
図８（ｂ）に示すように、分割体９４それぞれは、半円筒状をなす本体部９４ａと、この本体部９４ａの一端の開口端面に外側に折り曲げられて形成されたフランジ状の係合部９４ｂと、本体部９４ａの他端面を閉塞可能にして開閉する弾性舌片９４ｃとから構成されている。また、分割体９４の周壁には、方形状をした抜止開口９４ｆが形成されている。
【０００６】
そして、図８（ａ）に示すように、壁貫通筒体９０内に配線・配管材としての電線管９５が挿通された状態において、一対の分割体９４を壁貫通筒体９０の両開口から内部に別々に挿入すると、係合部９４ｂが壁貫通筒体９０の開口端に係合する。このとき、各弾性舌片９４ｃは、電線管９５の外周面に弾接し、電線管９５を支持している。また、壁貫通筒体９０の両開口端部には、弾性舌片９４ｃにより耐火材９３の充填空間が形成される。その後、壁貫通筒体９０の両開口端部に形成された各充填空間に耐火材９３を充填する。このとき、弾性舌片９４ｃにより、耐火材９３が区画壁形成体９１より奥方に流入することが防止され、区画壁形成体９１内で電線管９５の周囲に耐火材９３を位置させることができる。また、耐火材９３は、分割体９４の抜止開口９４ｆから壁貫通筒体９０の内周面に密着して、区画壁形成体９１の壁貫通筒体９０からの抜け出しを規制する。
【先行技術文献】
【特許文献】
【０００７】
【特許文献１】特開平１１−１９３８８７号公報
【発明の概要】
【発明が解決しようとする課題】
【０００８】
ところが、特許文献１に開示の壁貫通筒体９０においては、壁貫通筒体９０の両開口側に区画壁形成体９１を挿入する必要があり、壁貫通筒体９０の両開口側において壁貫通筒体９０の内周面と区画壁形成体９１の外周面との間には隙間が形成されてしまっている。また、区画壁形成体９１が合成樹脂より形成されており、火災等が発生した場合、区画壁形成体９１は燃焼してしまう。このとき、耐火材９３は、区画壁形成体９１が焼失する前は区画壁形成体９１の内周面に向けて膨張し、壁貫通筒体９０内周面と区画壁形成体９１外周面との隙間は維持されたままになっている。そして、区画壁形成体９１が焼失した後に、耐火材９３が壁貫通筒体９０の内周面に向けて膨張してはじめて、膨張した耐火材９３により壁貫通筒体９０の内周面との間の隙間が閉鎖される。よって、特許文献１の壁貫通筒体９０では、壁貫通筒体９０内周面と区画壁形成体９１外周面との間の隙間を速やかに閉鎖することができないという問題があった。
【０００９】
本発明は、前記従来の問題に鑑みてなされたものであって、その目的は、受け部により処理具本体内で耐火材を配線・配管材の周囲に位置させることができるとともに、貫通孔又はスリーブと、処理具本体との間の隙間を速やかに閉鎖することができる防火処理具及び防火処理構造を提供することにある。
【課題を解決するための手段】
【００１０】
上記問題点を解決するために、請求項１に記載の発明は、防火区画体に形成された貫通孔又は前記防火区画体に配設されたスリーブに装着されるとともに配線・配管材が挿通される防火処理具であって、自身で形状を維持可能な熱膨張性材料から筒状に形成され前記貫通孔内又はスリーブ内に挿入される処理具本体を備え、前記処理具本体が、該処理具本体の軸方向の一端側で開口し該開口から前記処理具本体内に熱膨張性充填材を充填可能とする充填空間を備えるとともに、前記軸方向の他端に前記充填空間内の前記熱膨張性充填材を受け止める受け部を備え、該受け部が前記配線・配管材が貫通可能に形成されており、前記充填空間の開口が前記貫通孔又はスリーブの開口端で開口するとともに前記受け部が前記貫通孔又はスリーブの開口端より奥方に位置するように前記貫通孔内又はスリーブ内に前記処理具本体が挿入されることを要旨とする。
【００１１】
請求項２に記載の発明は、請求項１に記載の防火処理具において、前記処理具本体は、ゴム弾性を有する熱膨張性ゴムで形成されていることを要旨とする。
請求項３に記載の発明は、請求項１又は請求項２に記載の防火処理具において、前記処理具本体は、前記軸方向の一端側から他端側に向かうに従い前記充填空間が先細をなすように形成されていることを要旨とする。
【００１２】
請求項４に記載の発明は、請求項１〜請求項３のうちいずれか一項に記載の防火処理具において、前記処理具本体には、前記軸方向に沿って延びるスリットが形成されていることを要旨とする。
【００１３】
請求項５に記載の発明は、請求項１〜請求項４のうちいずれか一項に記載の防火処理具において、前記処理具本体の軸方向一端側の外面には、前記防火区画体における前記貫通孔の開口縁部又はスリーブにおける開口端に当接する当接部が形成されていることを要旨とする。
【００１４】
請求項６に記載の発明は、防火区画体に形成された貫通孔又は前記防火区画体に配設されたスリーブには、自身で形状を維持可能な熱膨張性材料から筒状に形成されるとともに、配線・配管材が挿通される処理具本体を備えた防火処理具が装着され、前記処理具本体が前記貫通孔内又は前記スリーブ内に挿入され、前記処理具本体が軸方向一端側で開口することにより、前記貫通孔又はスリーブの開口端で開口する充填空間が設けられるとともに、前記処理具本体の軸方向他端側に設けられた受け部により、前記貫通孔又はスリーブの開口端より奥方で前記充填空間が閉鎖され、さらに、前記受け部により前記充填空間に充填された熱膨張性充填材が受け止められるとともに前記配線・配管材が前記受け部を貫通してなることを要旨とする。
【００１５】
請求項７に記載の発明は、請求項６に記載の防火処理構造において、前記防火区画体は中実状をなし、前記防火処理具が前記貫通孔の両開口側のうちいずれか一方側に装着されることを要旨とする。
【発明の効果】
【００１６】
本発明によれば、受け部により処理具本体内で耐火材を配線・配管材の周囲に位置させることができるとともに、貫通孔又はスリーブと、処理具本体との間の隙間を速やかに閉鎖することができる。
【図面の簡単な説明】
【００１７】
【図１】実施形態の防火処理構造を示す側断面図。
【図２】実施形態の防火処理具を示す斜視図。
【図３】（ａ）は防火処理具を示す正面図、（ｂ）は防火処理具を示す図３（ａ）のＡ−Ａ線断面図。
【図４】（ａ）は壁に電線管を貫通させた状態を示す図、（ｂ）は電線管に防火処理具を装着する前の状態を示す図、（ｃ）は処理具本体を貫通孔に挿入した状態を示す図。
【図５】壁に防火処理具が装着された状態を示す正面図。
【図６】防火処理具の使用例の別例を示す正面図。
【図７】床に防火処理構造を形成した状態を示す断面図。
【図８】（ａ）は背景技術の防火処理構造を示す断面図、（ｂ）は背景技術の区画壁形成体を示す分解斜視図。
【発明を実施するための形態】
【００１８】
以下、本発明を具体化した防火処理具及び防火処理構造の一実施形態を図１〜図５にしたがって説明する。
まず、防火区画体としての壁Ｗについて説明する。図１に示すように、壁Ｗはコンクリート製の中実状をなすとともに、壁Ｗには、配線・配管材としての電線管Ｐを壁Ｗの厚み方向に貫通させるための円孔状の貫通孔Ｗａが形成されている。
【００１９】
次に、壁Ｗに防火処理構造を形成するため、貫通孔Ｗａに装着される防火処理具１１について説明する。図２に示すように、防火処理具１１は、熱膨張性材料としての熱膨張性ゴムによって円筒状に形成された処理具本体１２を備える。処理具本体１２の外径は、貫通孔Ｗａの直径より僅かに大きく形成されている。熱膨張性ゴムは、３００℃以上の熱を受けると体積が加熱前の２倍以上に膨張する膨張材（膨張黒鉛）をゴムに混入し、このゴムを所定形状に成形した（成形工程を経た）ものに加硫工程を経てなるものである。なお、前記加硫工程とは、成形工程を経たゴムに熱を加え、加硫（架橋）反応や接着反応を起こさせ、ゴム弾性を有する製品を得る工程である。そして、防火処理具１１は、熱膨張性ゴム自身により円筒状（形状）を維持している。
【００２０】
図３（ａ）及び図３（ｂ）に示すように、処理具本体１２の軸方向一端には、当接部としてのフランジ部１３が処理具本体１２の周方向の全周に亘って外方へ突出するように形成されている。図２及び図３（ｂ）に示すように、フランジ部１３の裏面には、切り取り線１３ａが、処理具本体１２の外周面上の一点を通過し直線状に延びるように形成されている。切り取り線１３ａは、フランジ部１３の厚み内で形成されており、フランジ部１３において切り取り線１３ａが形成された位置は、フランジ部１３のその他の部位より薄くなっている。
【００２１】
また、処理具本体１２の軸方向他端には受け部１６が形成されている。そして、処理具本体１２内には、軸方向一端で開口するとともに軸方向他端で受け部１６によって閉鎖された充填空間Ｋが形成されている。充填空間Ｋは、円穴状に形成されるとともに、処理具本体１２の軸方向一端から他端に向かうに従い徐々に先細となるように縮径して形成されている。すなわち、処理具本体１２の外径は軸方向に沿って一定であるため、処理具本体１２における周壁部１２ａの厚みが、処理具本体１２の軸方向一端から他端に向かうに従い徐々に厚くなるように形成されており、受け部１６側ほど厚くなっている。
【００２２】
受け部１６は、処理具本体１２の内周面に一体形成された薄板状をなす。受け部１６には、複数の分割溝１６ａが受け部１６の周方向へ等間隔おきに形成されるとともに、受け部１６の径方向へ延びるように形成されている。受け部１６において、分割溝１６ａが形成された部位は、その他の部位より薄くなっている。
【００２３】
受け部１６の中央部で全ての分割溝１６ａが交わる位置には挿通孔１６ｂが受け部１６を厚み方向に貫通して形成されている。また、各分割溝１６ａは、受け部１６の中央部寄りが挿通孔１６ｂに連通するように受け部１６の厚み全体に切断されている。
【００２４】
そして、図１に示すように、受け部１６における挿通孔１６ｂに電線管Ｐが差し込まれると、受け部１６は、分割溝１６ａの挿通孔１６ｂ側から分断される。その結果、受け部１６は、複数の分割溝１６ａによって扇形状に分割されて複数の舌片１６ｃが形成されるようになっている。各舌片１６ｃはゴム弾性を有しているとともに、舌片１６ｃの基端側を基点として充填空間Ｋ内又は処理具本体１２から離間する側へ向けて変形可能になっている。図１では、電線管Ｐが受け部１６を貫通した状態で、防火処理具１１を電線管Ｐに沿って移動させたため、舌片１６ｃが基端側を基点として充填空間Ｋ内へ向けて変形した状態となっている。
【００２５】
また、図２及び図３（ａ）に示すように、処理具本体１２及びフランジ部１３には、処理具本体１２の軸方向全体に亘って延びるスリット１４が形成されている。スリット１４は、処理具本体１２の外面側及びフランジ部１３の外周端と、充填空間Ｋとを連通するように繋ぎ、充填空間Ｋを処理具本体１２の外側へ開口可能としている。スリット１４は、複数の分割溝１６ａのうちの一つであり、舌片１６ｃの形成に利用されている。
【００２６】
上記構成の防火処理具１１を用いて壁Ｗに防火処理構造を設けるには、まず、図４（ａ）に示すように、貫通孔Ｗａ内に電線管Ｐを挿通し、壁Ｗに電線管Ｐを貫通させる。次に、図４（ｂ）に示すように、防火処理具１１におけるスリット１４から防火処理具１１を拡開させ、充填空間Ｋを処理具本体１２の軸方向全体に亘って開口させる。そして、図４（ｃ）の２点鎖線に示すように、スリット１４内に電線管Ｐを収容するとともに処理具本体１２を閉じる。すると、電線管Ｐの外面側に防火処理具１１が装着される。
【００２７】
続いて、防火処理具１１を電線管Ｐの軸方向に沿うように貫通孔Ｗａに向けてスライド移動させ、図４（ｃ）の実線に示すように、防火処理具１１における処理具本体１２側を貫通孔Ｗａ内に挿入する。ここで、処理具本体１２の外径は、貫通孔Ｗａの直径より僅かに大きく形成されるとともに、処理具本体１２は熱膨張性ゴム製であるためゴム弾性を有している。このため、処理具本体１２を貫通孔Ｗａ内に挿入すると、処理具本体１２の外周面が貫通孔Ｗａの内面によって押圧されて圧縮変形するとともに、原形状への復帰により貫通孔Ｗａ内面に処理具本体１２の外周面が圧接する。よって、処理具本体１２の外周面が貫通孔Ｗａの内面に圧接することにより、処理具本体１２の外周面と貫通孔Ｗａの内面との間に隙間が無くなり、処理具本体１２がシール部材として機能する。
【００２８】
さらに、壁Ｗにおける貫通孔Ｗａの開口縁部にフランジ部１３を当接させ、係止させると、防火処理具１１の貫通孔Ｗａ内へのそれ以上の入り込みが防止される。そして、フランジ部１３と壁Ｗの開口縁部とを粘着テープ又は接着剤によって接着すると、防火処理具１１が壁Ｗに設置される。なお、防火処理具１１の壁Ｗへの設置は、フランジ部１３の表面から壁Ｗの壁面にかけて難燃性のパテを塗り、このパテ内にフランジ部１３を埋め込んで防火処理具１１を壁Ｗに固着することで行ってもよい。
【００２９】
また、上記のように電線管Ｐに沿って防火処理具１１をスライド移動させて防火処理具１１を設置すると、図５に示すように、複数の舌片１６ｃは電線管Ｐに沿って充填空間Ｋ内へ向けて突出するように変形する。すると、図１に示すように、防火処理具１１の充填空間Ｋは、貫通孔Ｗａの開口端側から外方へ向けて開口するとともに、貫通孔Ｗａの奥方では、複数の舌片１６ｃよりなる受け部１６により充填空間Ｋが閉鎖されている。
【００３０】
そして、充填空間Ｋの開口から充填空間Ｋ及びスリット１４内に、熱膨張性充填材としての熱膨張パテ２１を充填する。この熱膨張パテ２１は、３００℃以上の熱を受けると体積が加熱前の２倍以上に膨張する膨張材（膨張黒鉛）よりなるものである。充填空間Ｋに熱膨張パテ２１を充填していく際、充填空間Ｋの奥方では受け部１６によって熱膨張パテ２１が受け止められ、熱膨張パテ２１が充填空間Ｋ外へ漏れ出てしまうことが防止される。
【００３１】
その結果、貫通孔Ｗａの内面と電線管Ｐの外面との間に防火処理具１１が配設されるとともに、充填空間Ｋ内に熱膨張パテ２１が充填され、処理具本体１２の内周面と電線管Ｐの外周面との間に熱膨張パテ２１が隙間なく配設される。すると、電線管Ｐが壁Ｗを貫通する状態に配置されるとともに、壁Ｗに防火処理構造が設けられる。
【００３２】
この防火処理構造によれば、貫通孔Ｗａの内面に処理具本体１２の外周面が圧接し、処理具本体１２の内周面と電線管Ｐの外周面との間、さらにはスリット１４に熱膨張パテ２１が隙間なく充填されている。よって、防火処理具１１を貫通孔Ｗａに装着することにより、壁Ｗの一面側において、貫通孔Ｗａ全体が隙間なく閉鎖されている。
【００３３】
次に、上記構成の防火処理具１１を用いて形成された壁Ｗの防火処理構造の作用を説明する。
さて、図１に示すように、壁Ｗに防火処理構造が設けられた建築物において、壁Ｗの一方の壁面側（フランジ部１３が露出する側）で火災等が発生すると、電線管Ｐやその他のものの燃焼により煙が発生する。このとき、貫通孔Ｗａは、処理具本体１２の貫通孔Ｗａ内面への圧接（処理具本体１２のシール機能）及び熱膨張パテ２１により閉鎖されているため、貫通孔Ｗａが煙の経路となることが防止され、壁Ｗの他方の壁面側へ煙が伝わる不都合がなくなる。
【００３４】
さらに、電線管Ｐが燃焼し、火災等や燃焼により発生した熱によりフランジ部１３及び熱膨張パテ２１の露出面側が加熱される。すると、フランジ部１３及び熱膨張パテ２１が膨張する。さらに、電線管Ｐが燃え進むと、熱膨張パテ２１が内周面から加熱されるとともに、熱膨張パテ２１を伝播した熱により処理具本体１２が内周面から加熱される。すると、熱膨張パテ２１及び処理具本体１２が内周面側から膨張する。
【００３５】
加熱された処理具本体１２及び熱膨張パテ２１は貫通孔Ｗａの径方向及び軸方向に向けて膨張し、電線管Ｐを押し潰しながら貫通孔Ｗａを密封閉鎖する。その結果、電線管Ｐの外周面と貫通孔Ｗａの内面との間の隙間が熱、煙の経路となり、壁Ｗの他方の壁面側へ熱、煙が伝わる不都合がなくなる。
【００３６】
一方、壁Ｗの他方の壁面側（貫通孔Ｗａが開放された側）で火災等が発生すると、電線管Ｐやその他のものの燃焼により煙が発生する。このとき、貫通孔Ｗａは、処理具本体１２の貫通孔Ｗａへの圧接（処理具本体１２のシール機能）及び熱膨張パテ２１により閉鎖されているため、貫通孔Ｗａが煙の経路となることが防止され、壁Ｗの他方の壁面側へ煙が伝わる不都合がなくなる。
【００３７】
さらに、電線管Ｐが燃焼するとともに、火炎や煙が貫通孔Ｗａ内に侵入する。すると、火災等や燃焼により発生した熱により、処理具本体１２の受け部１６側が加熱される。さらに、処理具本体１２内の熱膨張パテ２１も受け部１６側から加熱されるとともに、燃え進んだ電線管Ｐからの熱により内周面側から加熱される。
【００３８】
すると、加熱された処理具本体１２の受け部１６側、及び熱膨張パテ２１は貫通孔Ｗａの径方向及び軸方向に向けて膨張し、電線管Ｐを押し潰しながら貫通孔Ｗａを密封閉鎖する。その結果、電線管Ｐの外周面と貫通孔Ｗａの内面との間の隙間が熱、煙の経路となり、壁Ｗの他方の壁面側へ熱、煙が伝わる不都合がなくなる。
【００３９】
上記実施形態によれば、以下のような効果を得ることができる。
（１）防火処理具１１の処理具本体１２は、内部に充填空間Ｋを備え、この充填空間Ｋは防火処理具１１が貫通孔Ｗａに装着された状態では、貫通孔Ｗａの開口端側で開口するとともに、貫通孔Ｗａの奥方で受け部１６によって閉鎖されている。よって、充填空間Ｋ内に熱膨張パテ２１を充填すると、受け部１６により熱膨張パテ２１を受け止めて、処理具本体１２内で電線管Ｐの周囲に熱膨張パテ２１を位置させることができる。さらに、貫通孔Ｗａの開口端側及び貫通孔Ｗａ内では、熱膨張性材料からなる処理具本体１２のフランジ部１３及び受け部１６が露出している。このため、火災等の熱により処理具本体１２が軸方向の一端側又は他端側のいずれかから加熱されても、処理具本体１２そのものが膨張するため、処理具本体１２の膨張により貫通孔Ｗａ内面と処理具本体１２外周面との間の隙間を速やかに閉鎖することができる。
【００４０】
（２）防火処理具１１は全体が熱膨張性ゴムより形成され、ゴム弾性を有している。このため、処理具本体１２を貫通孔Ｗａ内に挿入したとき、ゴム弾性を有する処理具本体１２の外周面が接触し、処理具本体１２が貫通孔Ｗａ内で滑りくくなる。このため、例えば、処理具本体１２がプラスチックより形成され、外周面が滑るように形成されている場合と比べると、防火処理具１１を貫通孔Ｗａ内で移動させにくくすることができる。
【００４１】
（３）処理具本体１２の内周面は、処理具本体１２の軸方向一端から他端に向かうに従い徐々に先細となるように縮径して形成され、充填空間Ｋは受け部１６に向かうに従い徐々に狭くなるように形成されている。このため、充填空間Ｋに熱膨張パテ２１を充填する際、充填空間Ｋの形状を利用して充填空間Ｋの奥側（受け部１６側）に熱膨張パテ２１を詰め込みやすくすることができる。
【００４２】
（４）処理具本体１２及びフランジ部１３には、処理具本体１２の軸方向全体に亘って延び、充填空間Ｋに繋がるスリット１４が形成されている。このため、スリット１４によって処理具本体１２及びフランジ部１３を拡開させ、その拡開させた部位から充填空間Ｋ内へ電線管Ｐを収容しながら電線管Ｐに防火処理具１１を装着することができる。よって、貫通孔Ｗａに電線管Ｐが挿通された後であっても、電線管Ｐに防火処理具１１を装着することができる。したがって、スリット１４を防火処理具１１に設けることで防火処理具１１を用いた防火処理構造の設置作業の容易化に寄与することができる。
【００４３】
（５）処理具本体１２の軸方向一端側の外周にはフランジ部１３が設けられている。このため、フランジ部１３を壁Ｗにおける貫通孔Ｗａの開口縁部に当接させることで、処理具本体１２が貫通孔Ｗａ内へ必要以上に入り込むことを防止することができる。また、防火処理具１１は、処理具本体１２とフランジ部１３とを一体成形してなる。このため、フランジ部１３を処理具本体１２と別体で設ける場合に比して防火処理具１１の製造を簡単なものとすることができる。
【００４４】
（６）処理具本体１２における周壁部１２ａの厚みは、処理具本体１２の軸方向一端側が他端側より薄くなっており、厚みの薄い軸方向一端側にはフランジ部１３が設けられている。また、充填空間Ｋにおいて、周壁部１２ａの厚みの薄い軸方向一端側は他端側に比べて熱膨張パテ２１が多く充填されている。このため、周壁部１２ａの厚みの薄い軸方向一端側で火災等が発生しても、フランジ部１３、処理具本体１２、及び熱膨張パテ２１により貫通孔Ｗａを速やかに閉鎖することができる。一方、処理具本体１２の軸方向他端側では厚みの厚い周壁部１２ａ及び受け部１６により貫通孔Ｗａを速やかに閉鎖することができる。
【００４５】
（７）処理具本体１２は熱膨張性ゴムよりなり、ゴム弾性を有する。また、処理具本体１２の外径は貫通孔Ｗａの直径より僅かに大きく形成されている。このため、処理具本体１２を貫通孔Ｗａ内に挿入すると、処理具本体１２が貫通孔Ｗａの内面によって僅かに圧縮変形するとともに、原形状への復帰により貫通孔Ｗａ内面に処理具本体１２の外周面が圧接する。よって、処理具本体１２の外周面が貫通孔Ｗａの内面に圧接することにより、防火処理具１１を貫通孔Ｗａ内から抜け出しを規制した状態に装着することができる。したがって、背景技術のように、分割体に形成した抜止開口から壁貫通筒体の内周面に耐火材を密着させて、耐火材によって区画壁形成体の壁貫通筒体からの抜け出しを規制する場合と比べると、抜止開口を形成する必要が無くなり、防火処理具１１を簡単に製造することができる。また、耐火材を壁貫通筒体に密着させるように耐火材を充填する必要がなくなり、防火処理具１１の設置が容易となる。さらには、処理具本体１２の外周面と貫通孔Ｗａの内面との間の隙間を埋めるためにモルタルを充填する必要がなく、防火処理構造を設ける作業を容易とすることができる。
【００４６】
（８）受け部１６は、分割溝１６ａから分断されると複数の舌片１６ｃに分割される。そして、この舌片１６ｃによって充填空間Ｋを開閉可能に閉鎖することができる。よって、充填空間Ｋに電線管Ｐが挿通された状態でも、貫通孔Ｗａの奥方では、電線管Ｐの外面と処理具本体１２の内周面との間の隙間が複数の舌片１６ｃによって閉鎖される。その結果として、火災等が発生しない状況では、隙間を介した風の通過等を防止することができる。
【００４７】
（９）受け部１６は、分割溝１６ａから分断されると複数の舌片１６ｃに分割される。そして、複数の舌片１６ｃは、防火処理具１１を電線管Ｐに沿ってスライド移動させたときは電線管Ｐの外周面に沿うように変形する。よって、受け部１６が変形不能に形成される場合と比べると、防火処理具１１を貫通孔Ｗａに装着する作業を容易に行うことができる。
【００４８】
（１０）受け部１６には、複数の分割溝１６ａが予め形成され、受け部１６において、分割溝１６ａが形成された部位はその他の部位より薄くなっている。よって、分割溝１６ａにより受け部１６を分割しやすくして容易に舌片１６ｃを形成することができる。
【００４９】
（１１）受け部１６には、複数の分割溝１６ａが交わる位置に、受け部１６を厚み方向に貫通するように挿通孔１６ｂが形成されている。このため、受け部１６が電線管Ｐにより押圧されたとき、挿通孔１６ｂと分割溝１６ａとの連通を、挿通孔１６ｂから処理具本体１２の内周面側へ向けて容易に延ばして舌片１６ｃを容易に形成することができる。
【００５０】
（１２）防火処理具１１は、自身が熱膨張性ゴムより形成されている。このため、処理具本体１２のフランジ部１３側又は受け部１６側のいずれから加熱されても速やかに膨張する。よって、貫通孔Ｗａの両開口端のうちいずれか一方に防火処理具１１を装着するだけで、壁Ｗの何れの面側で火災等が発生しても防火処理具１１により貫通孔Ｗａを閉鎖することができる。したがって、背景技術のように区画壁形成体９１が合成樹脂よりなり、火災等の発生時には区画壁形成体９１が焼失してしまうことを理由として、壁貫通筒体９０の両開口側に区画壁形成体９１を必要とする場合と比べると、貫通孔Ｗａの一方のみに防火処理具１１を装着するだけでよいため、防火処理構造を簡単に形成することができる。
【００５１】
（１３）処理具本体１２は熱膨張性ゴムよりなり、ゴム弾性を有する。また、処理具本体１２の外径は貫通孔Ｗａの直径より僅かに大きく形成されている。このため、処理具本体１２を貫通孔Ｗａ内に挿入すると、処理具本体１２が貫通孔Ｗａの内面によって僅かに圧縮変形するとともに、原形状への復帰により貫通孔Ｗａ内面に処理具本体１２の外周面が圧接する。また、ゴム弾性による圧接により、貫通孔Ｗａの内面が若干凹凸状になっていても、処理具本体１２の外周面を貫通孔Ｗａの内面に沿って圧接させることができる。よって、防火処理具１１を貫通孔Ｗａに装着した状態では、処理具本体１２のゴム弾性を利用して、処理具本体１２の外周面と貫通孔Ｗａの内面との間の隙間を無くすことができる。さらに、充填空間Ｋ内には熱膨張パテ２１が充填され、処理具本体１２の内周面と電線管Ｐの外周面との間を熱膨張パテ２１で埋めて隙間を無くすことができる。したがって、防火処理具１１を用いた防火処理構造によれば、貫通孔Ｗａに電線管Ｐが挿通された状態で、貫通孔Ｗａを隙間なく閉鎖することができる。その結果として、火災等が発生したとき、火炎はもちろんのこと、煙も貫通孔Ｗａを通過することを防止することができる。
【００５２】
（１４）処理具本体１２は熱膨張性ゴムよりなり、ゴム弾性を有する。また、処理具本体１２の外径は貫通孔Ｗａの直径より僅かに大きく形成されている。このため、処理具本体１２を貫通孔Ｗａ内に挿入すると、処理具本体１２が貫通孔Ｗａをシールするシール部材として機能する。また、ゴム弾性による圧接により、貫通孔Ｗａの内面が若干凹凸状になっていても、処理具本体１２の外周面を貫通孔Ｗａの内面に沿って圧接させることができる。よって、防火処理具１１を貫通孔Ｗａに装着するだけで、防火機能に加え、シール機能も壁Ｗに設けることができ、防火機能により火炎や煙が貫通孔Ｗａを通過することを防止することができ、さらには、火災等が発生していないときでも、シール機能により空気等が貫通孔Ｗａを通過することを防止することができる。
【００５３】
なお、上記実施形態は以下のように変更してもよい。
○  防火区画体として、一対の壁材の間に中空部が区画された中空状の中空壁に貫通孔を形成し、その貫通孔内に防火処理具１１を装着して防火処理構造を形成してもよい。この場合、貫通孔は両開口の間で中空部に連通しているため、防火処理具１１は貫通孔の両開口側から貫通孔内に装着される。
【００５４】
○  防火区画体として、一対の壁材の間に中空部が区画された中空状の中空壁に貫通孔を形成し、その貫通孔内にスリーブを配設するとともに、スリーブ内に防火処理具１１を装着して防火処理構造を形成してもよい。この場合、スリーブにより、貫通孔と中空部とが連通しないため、スリーブの両開口側のうちいずれか一方のみに防火処理具１１を装着すればよいが、両開口側に防火処理具１１を装着してもよい。
【００５５】
○  実施形態の壁Ｗにおいて、貫通孔Ｗａにスリーブを配設するとともに、そのスリーブ内に防火処理具１１を装着してもよい。
○  中実状をなす防火区画体として、コンクリート壁以外の土壁等に防火処理構造を形成する場合、本発明の防火処理具１１を用いてもよい。この場合、防火区画体における貫通孔の両開口側のうちいずれか一方のみに防火処理具１１を装着してもよいし、両開口側に防火処理具１１を装着してもよい。
【００５６】
○  図１の２点鎖線に示すように、実施形態において貫通孔Ｗａの両開口側に防火処理具１１を装着してもよい。
○  図６に示すように、防火処理具１１を壁Ｗに設置した場合、貫通孔Ｗａが壁Ｗに直交する床Ｆの上面（床面）に近いときは、フランジ部１３を切り取り線１３ａから切り取り、フランジ部１３の縁部を直線状にする。すると、フランジ部１３が床Ｆの上面に沿って延びるようになる。よって、切り取り線１３ａからフランジ部１３が切り取られない場合のように、フランジ部１３の一部が床Ｆ面上に折れ曲がった状態で配設されることを防止することができる。
【００５７】
○  図７に示すように、防火処理具１１を防火区画体としての床Ｆを厚み方向に貫通する貫通孔Ｆａ内に装着してもよい。この場合、防火処理具１１を床Ｆの貫通孔Ｆａ内に配設された金属材料製のスリーブ２２内に挿入してもよいし、スリーブ２２が配設されない場合は、貫通孔Ｆａ内に直接挿入してもよい。
【００５８】
○  実施形態において、当接部としてのフランジ部１３は処理具本体１２の周方向の全周に亘って延びるように形成したが、処理具本体１２の周方向に等間隔おき又は不等間隔おきに当接部を形成してもよい。
【００５９】
○  実施形態において、フランジ部１３は無くてもよい。
○  実施形態において、処理具本体１２の軸方向一端側に、金属材料等よりなるフランジ部を組付けて設けてもよい。
【００６０】
○  実施形態において、処理具本体１２は円筒状でなく、角筒状であってもよい。
○  実施形態において、スリット１４は削除してもよく、この場合、防火処理具１１を貫通孔Ｗａ内に挿入した後、防火処理具１１内に電線管Ｐが挿通される。
【００６１】
○  実施形態において、処理具本体１２は、軸方向の一端側から他端側に向かうに従い充填空間Ｋが先細とならず、同一径をなすように形成されていたり、軸方向の一端側から他端側に向かうに従い先太となるように形成されていてもよい。
【００６２】
○  処理具本体１２における周壁部１２ａの厚みは、処理具本体１２内に挿通される配線・配管材の外面と処理具本体１２の内周面との間に形成される隙間の大きさに合わせて任意に変更してもよい。
【００６３】
○  実施形態では、処理具本体１２を熱膨張性ゴムより形成するとともに、処理具本体１２の外径を貫通孔Ｗａの直径より僅かに大きくしたが、処理具本体１２の外径は貫通孔Ｗａの直径より僅かに小さく形成されていてもよい。この場合、処理具本体１２が貫通孔Ｗａ内に挿入されるとともに処理具本体１２内に電線管Ｐが挿通された状態では、電線管Ｐの外周面に舌片１６ｃが弾性変形して当接することで、舌片１６ｃの原形状への復帰力により処理具本体１２が内周側から外周側へ向けて押圧される。すると、処理具本体１２は、スリット１４が形成されていることから、処理具本体１２が拡開され、その拡開により処理具本体１２の外周面が貫通孔Ｗａの内面に圧接し、処理具本体１２の外周面と貫通孔Ｗａの内面との間の隙間が無くなり、処理具本体１２によるシール機能が発揮される。さらに、充填空間Ｋ内に熱膨張パテ２１が充填されると、スリット１４内にも熱膨張パテ２１が充填されるため、防火処理構造が形成されると、貫通孔Ｗａは隙間無く閉鎖される。
【００６４】
○  実施形態において、防火処理具１１を形成する熱膨張性材料は、合成樹脂材料に無機質材料及び膨張材を混入したものであってもよい。合成樹脂材料としては、オレフィン系樹脂、塩化ビニル樹脂、エチレン−酢酸ビニル共重合樹脂（ＥＶＡ）等の軟質性の合成樹脂が挙げられ、無機質材料としては炭酸カルシウムが、膨張材としては膨張黒鉛が挙げられる。そして、このような熱膨張性材料は、例えば、合成樹脂材料を熱膨張性材料における全体重量の４０％、無機質材料を４０％、膨張材を２０％の比率で調整されるものが使用される。
【００６５】
○  受け部１６に分割溝１６ａは形成されていなくてもよい。
○  実施形態では、防火処理具１１と熱膨張パテ２１とを同じ性質（３００℃以上の熱を受けると体積が加熱前の２倍以上に膨張する）のものを用いたが、防火処理具１１と熱膨張パテ２１とを性質の異なるものを用いてもよい。
【００６６】
○  配線・配管材として、配線や配管一本だけでもよく、配線のみ又は配管のみでもよい。さらに、配線・配管材として、配線や配管材を複数本纏めたものであってもよい。
次に、上記実施形態及び別例から把握できる技術的思想について以下に追記する。
【００６７】
（イ）前記当接部には、前記防火区画体としての防火区画壁の貫通孔又はスリーブに防火処理具を装着した場合、前記防火区画壁に直交する床面に沿って前記当接部の端縁が延びるように前記当接部を直線状に切り取り可能とする切り取り線が形成されている請求項５に記載の防火処理具。
【００６８】
（ロ）前記防火区画体は一対の壁材の間に中空部が区画される中空状をなし、前記防火処理具が前記貫通孔の両開口側に装着される請求項６に記載の防火処理構造。
【符号の説明】
【００６９】
Ｆ…防火区画体としての床、Ｋ…充填空間、Ｐ…配線・配管材としての電線管、Ｗ…防火区画体としての壁、Ｆａ，Ｗａ…貫通孔、１１…防火処理具、１２…処理具本体、１３…当接部としてのフランジ部、１４…スリット、１６…受け部、２１…熱膨張性充填材としての熱膨張パテ、２２…スリーブ。
【図１】
0005491839.tif 000002
【図２】
0005491839.tif 000003
【図３】
0005491839.tif 000004
【図４】
0005491839.tif 000005
【図５】
0005491839.tif 000006
【図６】
0005491839.tif 000007
【図７】
0005491839.tif 000008
【図８】
0005491839.tif 000009